(57)【要約】【課題】ＰＣまたはモニタに関する電源や表示などの状態を監視してＴＶ映像を迅速に表示することができること。【解決手段】モニタ１６へ画像出力する映像処理装置１０において、ＰＣ１４は、映像処理装置１０の主要な制御を行い、ＰＣ画像を出力し、ＴＶチューナ１１は、ＰＣ１４とモニタ１６の状態に影響を受けないで、ＴＶ画像を受信し、状態監視部１２２ａは、ＰＣ１４やモニタ１６に関する電源や表示などの状態を監視し、映像処理制御部１２２ｂは、ＴＶ画像またはＰＣ画像を出力し、ＰＣ１４やモニタ１６に関する電源や表示などの状態に応じてＰＣ画像とＴＶ画像を切替える。【選択図】        図２
2005303935.tif 000002
【特許請求の範囲】
【請求項１】
出力先装置の状態を監視する状態監視部と、
前記出力先装置の状態に影響を受けない電源部と、
画像を出力する画像出力部とを備えることを特徴とする画像出力装置。
【請求項２】
前記状態監視部は、前記出力先装置の電源の状態、前記出力先装置間の切替信号、前記出力先装置の入力手段の操作信号、前記出力先装置のタイマ起動の少なくともいずれか一つを監視することを特徴とする請求項１に記載の画像出力装置。
【請求項３】
前記状態監視部は、前記出力先装置の電源端子および／または前記出力先装置との接続端子を監視することを特徴とする請求項１に記載の画像出力装置。
【請求項４】
前記出力先装置によって前記出力先装置の状態が書き込まれる状態記憶部をさらに備え、前記状態監視部は、前記状態記憶部に記憶された状態を監視することを特徴とする請求項１に記載の画像出力装置。
【請求項５】
前記出力先装置の状態に応じて、前記画像出力部から出力される画像の出力を決定する映像処理部をさらに備えることを特徴とする請求項１に記載の画像出力装置。
【請求項６】
前記映像処理部は、前記状態に応じて前記出力先装置からの情報画像と前記画像を切替え、および／または合成することを特徴とする請求項５に記載の画像出力装置。
【請求項７】
前記映像処理部は、前記状態監視部によって前記出力先装置がＯＦＦまたは一時停止状態からＯＮに切り替わったことが検出された場合に、前記出力先装置の前記情報画像である起動画面を表示するよう制御することを特徴とする請求項６に記載の画像出力装置。
【請求項８】
表示装置へ画像出力する情報処理装置において、
前記情報処理装置の主要な制御を行い、情報画像を出力する制御部と、
前記制御部と前記表示装置の状態に影響を受けない電源部と、
画像を受信する、少なくとも一つの画像受信部と、
前記制御部や前記表示部の状態を監視する状態監視部と、
前記画像を出力する画像出力部と、
前記状態に応じて前記情報画像と前記画像を切替え、および／または合成する映像処理部とを備えることを特徴とする情報処理装置。
【請求項９】
情報処理装置と表示装置の状態を監視する状態監視ステップと、
前記状態に応じて前記情報処理装置からの情報画像と受信装置からの画像を切替え、および／または合成する映像処理ステップを備えることを特徴とする画像出力方法。
【請求項１０】
情報処理装置と表示装置の状態を監視する状態監視手順と、
前記状態に応じて前記情報処理装置からの情報画像と受信装置からの画像を切替え、および／または合成する映像処理手順とをコンピュータに実行させることを特徴とする画像出力プログラム。
【発明の詳細な説明】
【技術分野】
【０００１】
この発明は、画像出力装置および情報処理装置に関し、特にＰＣまたはモニタに関する電源や表示などの状態を監視してＴＶ映像を迅速に表示することができる画像出力装置および情報処理装置に関するものである。
【背景技術】
【０００２】
従来、放送信号を受信・選択するチューナユニットを有し、チューナユニットによって選択された放送信号をＴＶ映像信号に変換するテレビチューナ（以下においては「ＴＶチューナ」という。）と、ＴＶ映像信号を録画・再生した映像信号であるＰＣ映像信号とＴＶ映像信号とを切替えてモニタに出力するコンピュータ（以下においては「ＰＣ」という。）とからなる映像処理装置が知られている。かかる映像処理装置は、ＰＣが起動した後にＴＶチューナが起動するために、ＴＶ映像信号の出力に時間がかかっていた。そこで、ＰＣが起動していなくてもモニタにＴＶ映像信号を迅速に出力できるＴＶチューナに関する従来技術が開示されている。例えば、特許文献１では、切替スイッチでＴＶ映像信号を直接モニタに出力する場合とＰＣを経由してＴＶ映像信号を録画または再生して出力する場合に切替えることによってＴＶ映像を迅速に出力する従来技術が開示されている。
【０００３】
【特許文献１】特開２００３−６７０７３号公報
【発明の開示】
【発明が解決しようとする課題】
【０００４】
特許文献１の従来技術では、切替スイッチでＴＶ映像信号を直接モニタに出力する場合とＰＣを経由してＴＶ映像信号を録画または再生して出力する場合に切替えることによって素早くＴＶ映像を表示することができるが、ＰＣおよびモニタに関する電源や表示などの状態を監視してＴＶ映像を迅速に表示することができなかった。
【０００５】
この発明は、上述した従来技術による問題点を解消するためになされたものであり、ＰＣまたはモニタに関する電源や表示などの状態を監視してＴＶ映像を迅速に表示することができる画像出力装置を提供することを目的とする。
【課題を解決するための手段】
【０００６】
上述した課題を解決し、目的を達成するため、請求項１の発明に係る画像出力装置は、出力先装置の状態を監視する状態監視部と、前記出力先装置の状態に影響を受けない電源部と、画像を出力する画像出力部とを備えることを特徴とする
【０００７】
この請求項１の発明によれば、出力先装置の状態を監視し、出力先装置の状態に影響を受けないで、画像を出力することとしたので、ＰＣまたはモニタに関する電源や表示などの状態を監視してＴＶ映像を迅速に表示することができる。
【０００８】
また、請求項２の発明に係る画像出力装置は、請求項１の発明において、前記状態監視部は、前記出力先装置の電源の状態、前記出力先装置間の切替信号、前記出力先装置の入力手段の操作信号、前記出力先装置のタイマ起動の少なくともいずれか一つを監視することを特徴とする。
【０００９】
この請求項２の発明によれば、出力先装置の電源の状態、出力先装置間の切替信号、出力先装置の入力手段の操作信号、出力先装置のタイマ起動の少なくともいずれか一つを監視することとしたので、ＴＶチューナ電源ボタン、ＰＣ電源ボタン、ＴＶチューナ電源とＰＣ電源の切替ボタン、キーボード、マウス、タイマからの信号でＴＶ映像を迅速に表示することができる。
【００１０】
また、請求項３の発明に係る画像出力装置は、請求項１の発明において、前記状態監視部は、前記出力先装置の電源端子および／または前記出力先装置との接続端子を監視することを特徴とする。
【００１１】
この請求項３の発明によれば、出力先装置の電源端子および／または出力先装置との接続端子を監視することとしたので、ＰＣおよびモニタに関する電源や表示などの状態を容易に監視することができる。
【００１２】
また、請求項４の発明に係る画像出力装置は、請求項１の発明において、前記出力先装置によって前記出力先装置の状態が書き込まれる状態記憶部をさらに備え、前記状態監視部は、前記状態記憶部に記憶された状態を監視することを特徴とする。
【００１３】
この請求項４の発明によれば、出力先装置によって出力先装置の状態が書き込まれ、記憶された状態を監視することとしたので、特に、ＰＣの電源の状態を容易に監視することができる。
【００１４】
また、請求項５の発明に係る画像出力装置は、請求項１の発明において、前記出力先装置の状態に応じて、前記画像出力部から出力される画像の出力を決定する映像処理部をさらに備えることを特徴とする。
【００１５】
この請求項５の発明によれば、出力先装置の状態に応じて、出力される画像の出力を決定することとしたので、ＰＣまたはモニタに関する電源や表示などの状態に応じてＴＶ映像を迅速に表示することができる。
【００１６】
また、請求項６の発明に係る画像出力装置は、請求項５の発明において、前記映像処理部は、前記状態に応じて前記出力先装置からの情報画像と前記画像を切替え、および／または合成することを特徴とする。
【００１７】
この請求項６の発明によれば、状態に応じて出力先装置からの情報画像と画像を切替え、および／または合成することとしたので、ＰＣまたはモニタに関する電源や表示などの状態に応じてＴＶ映像およびＰＣ映像を切替え、および／または合成することができる。
【００１８】
また、請求項７の発明に係る画像出力装置は、請求項６の発明において、前記映像処理部は、前記状態監視部によって前記出力先装置がＯＦＦまたは一時停止状態からＯＮに切り替わったことが検出された場合に、前記出力先装置の前記情報画像である起動画面を表示するよう制御することを特徴とする。
【００１９】
この請求項７の発明によれば、出力先装置がＯＦＦまたは一時停止状態からＯＮに切り替わったことが検出された場合に、出力先装置の情報画像である起動画面を表示するよう制御することとしたので、利用者のＴＶ視聴を妨げないようにすることができる。
【００２０】
また、請求項８の発明に係る情報処理装置は、表示装置へ画像出力する情報処理装置において、前記情報処理装置の主要な制御を行い、情報画像を出力する制御部と、前記制御部と前記表示装置の状態に影響を受けない電源部と、画像を受信する、少なくとも一つの画像受信部と、前記制御部や前記表示部の状態を監視する状態監視部と、前記画像を出力する画像出力部と、前記状態に応じて前記情報画像と前記画像を切替え、および／または合成する映像処理部とを備えることを特徴とする。
【００２１】
この請求項８の発明によれば、情報処理装置の主要な制御を行い、情報画像を出力し、制御部と表示装置の状態に影響を受けないで、画像を受信し、制御部や表示部の状態を監視し、画像を出力し、状態に応じて情報画像と画像を切替え、および／または合成することとしたので、ＰＣまたはモニタに関する電源や表示などの状態を監視してＰＣ映像とＴＶ映像を切替え、および／または合成することができる。
【００２２】
また、請求項９の発明に係る画像出力方法は、情報処理装置と表示装置の状態を監視する状態監視ステップと、前記状態に応じて前記情報処理装置からの情報画像と受信装置からの画像を切替え、および／または合成する映像処理ステップを備えることを特徴とする。
【００２３】
この請求項９の発明によれば、情報処理装置と表示装置の状態を監視し、状態に応じて情報処理装置からの情報画像と受信装置からの画像を切替え、および／または合成することとしたので、ＰＣまたはモニタに関する電源や表示などの状態を監視してＰＣ映像とＴＶ映像を切替え、および／または合成することができる。
【００２４】
また、請求項１０の発明に係る画像出力プログラムは、情報処理装置と表示装置の状態を監視する状態監視手順と、前記状態に応じて前記情報処理装置からの情報画像と受信装置からの画像を切替え、および／または合成する映像処理手順とをコンピュータに実行させることを特徴とする。
【００２５】
この請求項１０の発明によれば、情報処理装置と表示装置の状態を監視し、状態に応じて情報処理装置からの情報画像と受信装置からの画像を切替え、および／または合成することとしたので、ＰＣまたはモニタに関する電源や表示などの状態を監視してＰＣ映像とＴＶ映像を切替え、および／または合成することができる。
【発明の効果】
【００２６】
請求項１の発明によれば、出力先装置の状態を監視し、出力先装置の状態に影響を受けないで、画像を出力するよう構成したので、ＰＣまたはモニタに関する電源や表示などの状態を監視してＴＶ映像を迅速に表示することができるという効果を奏する。
【００２７】
また、請求項２の発明によれば、出力先装置の電源の状態、出力先装置間の切替信号、出力先装置の入力手段の操作信号、出力先装置のタイマ起動の少なくともいずれか一つを監視するよう構成したので、ＴＶチューナ電源ボタン、ＰＣ電源ボタン、ＴＶチューナ電源とＰＣ電源の切替ボタン、キーボード、マウス、タイマからの信号でＴＶ映像を迅速に表示することができるという効果を奏する。
【００２８】
また、請求項３の発明によれば、出力先装置の電源端子および／または出力先装置との接続端子を監視するよう構成したので、ＰＣおよびモニタに関する電源や表示などの状態を容易に監視することができるという効果を奏する。
【００２９】
また、請求項４の発明によれば、出力先装置によって出力先装置の状態が書き込まれ、状態記憶部に記憶された状態を監視するよう構成したので、特に、ＰＣの電源の状態を容易に監視することができるという効果を奏する。
【００３０】
また、請求項５の発明によれば、出力先装置の状態に応じて、出力される画像の出力を決定するよう構成したので、ＰＣまたはモニタに関する電源や表示などの状態に応じてＴＶ映像を迅速に表示することができるという効果を奏する。
【００３１】
また、請求項６の発明によれば、状態に応じて出力先装置からの情報画像と画像を切替え、および／または合成するよう構成したので、ＰＣまたはモニタに関する電源や表示などの状態に応じてＴＶ映像およびＰＣ映像を切替え、および／または合成することができるという効果を奏する。
【００３２】
また、請求項７の発明によれば、出力先装置がＯＦＦまたは一時停止状態からＯＮに切り替わったことが検出された場合に、出力先装置の情報画像である起動画面を表示するよう制御するよう構成したので、利用者のＴＶ視聴を妨げないようにすることができるという効果を奏する。
【００３３】
また、請求項８の発明によれば、情報処理装置の主要な制御を行い、情報画像を出力し、制御部と表示装置の状態に影響を受けないで、画像を受信し、制御部や表示部の状態を監視し、画像を出力し、状態に応じて情報画像と画像を切替え、および／または合成するよう構成したので、ＰＣまたはモニタに関する電源や表示などの状態を監視してＰＣ映像とＴＶ映像を切替え、および／または合成することができるという効果を奏する。
【００３４】
また、請求項９の発明によれば、情報処理装置と表示装置の状態を監視し、状態に応じて情報処理装置からの情報画像と受信装置からの画像を切替え、および／または合成するよう構成したので、ＰＣまたはモニタに関する電源や表示などの状態を監視してＰＣ映像とＴＶ映像を切替え、および／または合成することができるという効果を奏する。
【００３５】
また、請求項１０の発明によれば、情報処理装置と表示装置の状態を監視し、状態に応じて情報処理装置からの情報画像と受信装置からの画像を切替え、および／または合成するよう構成したので、ＰＣまたはモニタに関する電源や表示などの状態を監視してＰＣ映像とＴＶ映像を切替え、および／または合成することができるという効果を奏する。
【発明を実施するための最良の形態】
【００３６】
以下に添付図面を参照して、この発明に係る画像出力装置および情報処理装置の一例として映像処理装置の好適な実施例（１）〜（３）を詳細に説明する。
実施例１は、一つのチューナユニットで受信されたＴＶ映像信号の表示と録画を切替える場合について説明する。
実施例２は、二つのチューナユニットで受信されたＴＶ映像信号を同時に表示し、録画する場合について説明する。
実施例３は、チューナユニットで受信されたＴＶ映像信号と録画されたＰＣ映像信号を合成する場合について説明する。
【実施例１】
【００３７】
実施例１は、一つのチューナユニットで受信されたＴＶ映像信号の表示と録画を切替える場合について説明する。ここでは、（１）映像処理装置の概要と主要な特徴、（２）映像処理装置の構成、（３）映像処理装置の電源／映像に関する状態／制御、（４）映像処理装置の映像表示制御手順の順番に説明する。
【００３８】
（１）映像処理装置の概要と主要な特徴
まず、図１および図２を参照して、映像処理装置の概要と主要な特徴について説明する。図１は、実施例１に係る映像処理装置１０の本体の外観を示す外観図である。また、図２は、実施例１に係る映像処理装置１０の構成を示す機能ブロック図である。
【００３９】
図２に示すように、状態監視部１２２ａは、ＰＣ１４およびモニタ１６に関する電源および表示などの状態を監視し、ＴＶチューナ１１は、ＰＣ１４およびモニタ１６の電源や表示などの状態に影響を受けないで、画像を出力することとしたので、ＰＣ１４またはモニタ１６に関する電源や表示などの状態を監視してＴＶ映像を迅速に表示することができる。
【００４０】
（２）映像処理装置の構成
次に、図１または図２を参照して、実施例１に係る映像処理装置１０の構成について説明する。図２に示すように、映像処理装置１０は、ＴＶチューナ電源ボタン１、ＴＶ  ＬＥＤ２、ＰＣ電源ボタン３、ＰＣ  ＬＥＤ４、操作パネル７、リモコン８、リモコン受光部８ａ、入力装置９、入力装置受信部９ａ、ＴＶチューナ１１、ＰＣ１４、モニタ１６、冷却ファン１８を有する。ここでは、（２−１）電源ボタン、操作パネル、モニタ等の構成、（２−２）ＴＶチューナの構成、（２−３）ＰＣの構成の順番で説明する。
【００４１】
（２−１）電源ボタン、操作パネル、モニタ等の構成
図１に示すように、ＴＶチューナ電源ボタン１、ＴＶ  ＬＥＤ２、ＰＣ電源ボタン３、ＰＣ  ＬＥＤ４、リモコン受光部８ａ、入力装置受信部９ａは、モニタ１６に配置されている。ＴＶチューナ電源ボタン１は、ＴＶチューナ１１の電源をＯＮ／ＯＦＦする電源ボタンである。また、ＴＶ  ＬＥＤ２は、ＴＶチューナ電源ボタン１のＯＮ／ＯＦＦを表示するＬＥＤであり、ＴＶチューナ電源ボタン１がＯＮの場合、点灯し、ＴＶチューナ電源ボタン１がＯＦＦの場合、消灯する。
【００４２】
ＰＣ電源ボタン３は、ＰＣ１４の電源をＯＮ／ＯＦＦする電源ボタンである。また、ＰＣ  ＬＥＤ４は、ＰＣ電源の停止、待機、ＯＮ／ＯＦＦなどの電源状態を表示するＬＥＤであり、停止の場合は消灯し、待機の場合は朱色に点灯し、ＯＮの場合は緑色に点灯する。
【００４３】
操作パネル７は、図１に示すようにモード切替ボタン７ａ、入力切替ボタン７ｂ、チャンネルボタン７ｃ、音量調節ボタン７ｄからなる。モード切替ボタン７ａは、ＴＶチューナ１１とＰＣ１４を切替えるボタンである。また、入力切替ボタン７ｂは、チューナユニット１１２とビデオとＳビデオとを切替えるボタンである。また、チャンネルボタン７ｃは、チューナユニット１１２のチャンネルを選択するボタンである。また、音量調節ボタン７ｄは、音量を調節するボタンである。
【００４４】
リモコン８は、赤外線による遠隔操作パネルであり、モード切替、入力切替、チャンネル選択、音量調節などのボタンがある。また、リモコン受光部８ａは、リモコン８の赤外線による制御信号を受信し、ＴＶチューナ１１に送信する赤外線センサである。また、入力装置９は、無線により映像処理装置１０と接続されたＰＣ１４の入力装置であり、具体的にはキーボードやマウスなどである。また、入力装置受信部９ａは、入力装置９の無線による制御信号を受信し、ＰＣ１４に送信する無線インタフェース部である。
【００４５】
モニタ１６は、ＴＶチューナ１１から入力するビデオデータを表示する映像表示装置であり、ＬＣＤ（Ｌｉｑｕｉｄ  Ｃｒｙｓｔａｌ  Ｄｉｓｐｌａｙ）パネル１６１、バックライト１６２を有する。ＬＣＤパネル１６１は、液晶表示素子を用いた映像表示パネルである。また、バックライト１６２は、ＬＣＤパネル１６１を背後から照射する冷陰極管や白色発光ダイオードを用いた光源である。また、冷却ファン１８は、ＴＶチューナ１１がＯＮのときに、ＴＶチューナ１１で発生する熱を冷却する冷却装置である。
【００４６】
（２−２）ＴＶチューナの構成
ＴＶチューナ１１は、放送信号を受信・選択し、選択した放送信号をＴＶ映像信号に変換する回路である。また、ＴＶチューナ１１は、ＰＣ１４に内蔵可能な拡張カードであり、ＴＶアンテナ１１１、チューナユニット１１２、Ａ／Ｄ変換器１１３、ＲＧＢ変換器１１４、切替スイッチ１１５、ＭＰＥＧエンコーダ１１６、ブリッジ回路１１７、ＴＶチューナ電源回路１２１、マイコン制御部１２２、ＲＯＭ記憶部１２３、モニタ電源回路１２６を有する。
【００４７】
ＴＶアンテナ１１１は、放送信号を受信するアンテナであり、具体的には八木アンテナである。また、チューナユニット１１２は、受信した放送信号を周波数によって選択し、選択した放送信号を増幅する回路である。また、Ａ／Ｄ変換器１１３は、アナログの放送信号をＮＴＳＣ形式のビデオデータに変換する回路である。また、ＲＧＢ変換回路１１４は、ＮＴＳＣ形式のビデオデータをＲＧＢ形式のビデオデータに変換する変換回路である。また、切替スイッチ１１５は、ＲＧＢ変換回路１１４で変換されたビデオデータとＰＣ１４から入力したビデオデータを切替えてモニタ１６に出力する映像データ切替スイッチである。
【００４８】
ＭＰＥＧエンコーダ１１６は、Ａ／Ｄ変換器１１３で変換されたＮＴＳＣ形式のビデオデータを画像圧縮する圧縮符号器である。また、ブリッジ回路１１７は、ＰＣ１４のＰＣＩバスとのインタフェース回路であり、電源状態識別情報記憶部１１７ａを有する。電源状態識別情報記憶部１１７ａは、ＰＣ１４の電源の状態を識別する情報である電源状態識別情報を記憶する記憶部である。
【００４９】
ＴＶチューナ電源回路１２１は，ＰＣ１４の電源と独立な電源回路であり、１００ＶのＡＣ電源から３．３Ｖ、５Ｖの直流電源に変換し、各回路に電力を供給する電源回路である。図２に示すように、ＴＶチューナ電源回路１２１から各回路に伸びる破線は、電力を供給する電力ラインを示す。
【００５０】
マイコン制御部１２２は、ＰＣ１４の電源から常時電力を供給され、ＴＶチューナ１１の全体を制御するマイコンであり、状態監視部１２２ａ、映像処理制御部１２２ｂを有する。図２に示すように、マイコン制御部１２２から各回路に伸びる一点鎖線は、制御信号または状態データを送受信をする制御ラインである。ユーザは、操作パネル７、リモコン８を操作してマイコン制御部１２２に要求または指示を与える。
【００５１】
状態監視部１２２ａは、ＰＣ１４、モニタ１６に関する電源や表示などの状態を監視する監視部である。また、状態監視部１２２ａは、ＰＣ１４の電源の状態、モニタ１６の電源の状態、ＰＣ１４とモニタ１６との切替信号、ＰＣ１４の入力手段の操作信号、ＰＣ１４のタイマ起動の少なくともいずれか一つを監視する。したがって、ＴＶチューナ電源ボタン１、ＰＣ電源ボタン３、ＴＶチューナとＰＣとの切替ボタン、キーボード、マウス、タイマからの信号でＴＶ映像を迅速に表示することができる。
【００５２】
状態監視部１２２ａは、ＰＣ１４またはモニタ１６の電源端子および／またはＰＣ１４とモニタ１６との接続端子を監視する。したがって、状態監視部１２２ａは、ＰＣ１４およびモニタ１６に関する電源や表示などの状態を容易に監視することができる。
【００５３】
状態監視部１２２ａは、ＴＶチューナ１１のデバイスドライバによってブリッジ回路１１７の電源状態識別情報記憶部１１７ａに記憶されたＰＣ１４の電源の状態を識別する情報である電源状態識別情報によりＰＣ１４の電源の状態を監視する。このように、ＰＣ１４によってＰＣ１４の状態が書き込まれ、状態監視部１２２ａは、電源状態識別情報記憶部１１７ａに記憶された状態を監視することとしたので、状態監視部１２２ａは、特に、ＰＣの電源の状態を容易に監視することができる。
【００５４】
映像処理制御部１２２ｂは、ＰＣ１４またはモニタ１６の状態に応じて、チューナユニット１１２から出力される画像の出力を決定する。したがって、映像処理制御部１２２ｂは、ＰＣまたはモニタに関する電源や表示などの状態に応じてＴＶ映像を迅速に表示することができる。
【００５５】
映像処理制御部１２２ｂは、電源や表示などの状態に応じてＰＣ１４またはモニタ１６からのＰＣ画像とＴＶ画像を切替える。したがって、映像処理制御部１２２ｂは、ＰＣ１４またはモニタ１６に関する電源や表示などの状態に応じてＴＶ映像を迅速に表示することができる。
【００５６】
映像処理制御部１２２ｂは、状態監視部１２２ａによってＰＣ１４がＯＦＦまたは一時停止状態からＯＮに切り替わったことが検出された場合に、ＰＣ１４のＰＣ画像である起動画面をモニタ１６へ表示するよう制御する。したがって、映像処理制御部１２２ｂは、利用者のＴＶ視聴を妨げないようにすることができる。
【００５７】
映像処理制御部１２２ｂは、ＴＶ映像信号の入力を検出した場合、ＰＣ１４のＰＣＩバスを介して起動信号を送信し、ＰＣ１４を起動する。したがって、映像処理制御部１２２ｂは、利用者に手間を掛けずにＰＣ１４を起動できる。
【００５８】
ＲＯＭ記憶部１２３は、電気的に書き換え可能なフラッシュメモリ、すなわちＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）であり、設定チャンネル記憶部１２３ａを有する。設定チャンネル記憶部１２３ａは、チューナユニット１１２の設定チャンネルを記憶する記憶部である。
【００５９】
モニタ電源回路１２６は、ＴＶチューナ１１の電源およびＰＣ１４の電源と独立な電源回路であり、１００ＶのＡＣ電源から３．３Ｖ、５Ｖの直流電源に変換し、モニタ１６のＬＣＤパネル１６１に電力を供給する電源回路である。
【００６０】
映像処理制御部１２２ｂは、冷却ファン１８をＴＶチューナ１１の使用中に冷却制御する。すなわち、ＴＶチューナ１１の電源がＯＮする場合に、冷却ファン１８をＯＮするよう制御し、電源がＯＦＦする場合に、冷却ファン１８をＯＦＦするよう制御する。したがって、映像処理制御部１２２ｂは、ＴＶチューナ１１が発生する熱を冷却し、ＴＶチューナ１１の各回路の温度を適切な温度範囲に保持することができる。
【００６１】
（２−３）ＰＣの構成
ＰＣ１４は、ブリッジ回路１４１、ＨＤＤ（Ｈａｒｄ  Ｄｉｓｋ  Ｄｒｉｖｅ）記憶部１４２、ビデオ出力部１４３、入出力Ｉ／Ｆ部１４４、ＲＯＭ（Ｒｅａｄ  Ｏｎｌｙ  Ｍｅｍｏｒｙ）記憶部１４５、ＲＡＭ（Ｒａｎｄｏｍ  Ａｃｃｅｓｓ  Ｍｅｍｏｒｙ）記憶部１４６、バス１４７、ＣＰＵ（Ｃｅｎｔｒａｌ  Ｐｒｏｃｅｓｓｉｎｇ  Ｕｎｉｔ）制御部１４８、ＰＣ電源回路１５１を有する。
【００６２】
ブリッジ回路１４１は、ＰＣ１４のＰＣＩバスとのインタフェース回路であり、ＭＰＥＧエンコーダ１１６で画像圧縮されたＮＴＳＣ形式のビデオデータをＰＣ１４のＰＣＩバスに高速で伝送する。また、ＨＤＤ（Ｈａｒｄ  Ｄｉｓｋ  Ｄｒｉｖｅ）記憶部１４２は、画像圧縮されたＮＴＳＣ形式のビデオデータを記憶する記憶装置であり、ＨＤＤ駆動部１４２ａ、圧縮ビデオデータ記憶部１４２ｂを有する。
【００６３】
ＨＤＤ駆動部１４２ａは、ＰＣ１４の電源から常時電力が供給され、ＨＤＤ記憶部１４２を駆動する駆動部である。また、ＨＤＤ駆動部１４２ａは、映像処理制御部１２２ｂによってＰＣ１４に出力するよう制御されたビデオデータを録画する。また、圧縮ビデオデータ記憶部１４２ｂは、ＭＰＥＧによって画像圧縮されたＮＴＳＣ形式のビデオデータを記憶する記憶部である。
【００６４】
このように、ＨＤＤ駆動部１４２ａは、ＰＣ１４の電源から常時電力が供給され、ＨＤＤ記憶部１４２を駆動することとしたので、ＨＤＤ駆動部１４２ａは、映像処理制御部１２２ｂによってＰＣ１４に出力するよう制御されたＴＶ映像信号を常時圧縮ビデオデータ記憶部１４２ｂに録画することができる。
【００６５】
圧縮ビデオデータ記憶部１４２ｂに記憶され、画像圧縮されたＮＴＳＣ形式のビデオデータは、圧縮復号化プログラムによって圧縮復号化される。また、ビデオ出力部１４３は、圧縮復号化プログラムによって復号化されたビデオ信号をＲＧＢ形式のビデオデータに変換し、ＴＶチューナ１１に出力する出力部である。
【００６６】
入出力Ｉ／Ｆ部１４４は、入力装置受信部９ａを介して入力装置９からデータを入出力する入出力インタフェースであり、例えば、ＳＣＳＩ（Ｓｍａｌｌ  Ｃｏｎｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｉｎｔｅｒｆａｃｅ）などのインタフェースである。
【００６７】
ＲＯＭ記憶部１４５は、読み出し専用の記憶部であり、デバイスドライバ記憶部１４５ａ、圧縮復号化プログラム記憶部１４５ｂを有する。デバイスドライバ記憶部１４５ａは、ＴＶチューナ１１のデバイスドライバを記憶する記憶部である。ＴＶチューナ１１のデバイスドライバは、ＣＰＵ制御部１４８より実行される制御プログラムであり、ＰＣ１４の電源の状態を識別する情報である電源状態識別情報をＴＶチューナ１１のブリッジ回路１１７の電源状態識別情報記憶部１１７ａに記憶させる。また、ＴＶチューナ１１のデバイスドライバは、ＰＣ１４からＲＯＭ記憶部１２３の設定チャンネル記憶部１２３ａに設定チャンネルを転送する。また、圧縮復号化プログラム記憶部１４５ｂは、ＨＤＤ記憶部１４２に記憶され、画像圧縮されたＮＴＳＣ形式のビデオデータを圧縮復号化するプログラムである圧縮復号化プログラムを記憶する記憶部である。
【００６８】
ＲＡＭ（Ｒａｎｄｏｍ  Ａｃｃｅｓｓ  Ｍｅｍｏｒｙ）記憶部１４６は、データなどを記憶する記憶部である。また、バス１４７は、ブリッジ回路１４１、ＨＤＤ記憶部１４２、ビデオ出力部１４３、入出力Ｉ／Ｆ部１４４、ＲＯＭ記憶部１４５、ＲＡＭ記憶部１４６、ＣＰＵ制御部１４８の間でデータを伝送する信号ラインである。また、ＣＰＵ制御部１４８は、ＰＣ１１の全体を制御する主制御部であり、データの管理、演算処理、制御を行う。
【００６９】
ＰＣ電源回路１５１は，ＰＣ１４の電源であり、１００ＶのＡＣ電源を３．３Ｖ、５Ｖおよび１２Ｖの大容量の直流電源に変換し、各回路に電力を供給する電源回路である。ＰＣ電源回路１５１は、ＰＣ１４の各回路に電力を供給するだけではなく、マイコン制御部１２２およびモニタ１６のバックライト１６２に電力を供給している。図２に示すように、ＰＣ電源回路１５１から各回路に伸びる破線は、電力を供給する電力ラインを示す。
【００７０】
（３）映像処理装置の電源／映像に関する状態／制御
次に、図３および図４−１〜図４−５を参照して、図２に示す映像処理装置１０の電源／映像に関する状態／制御について説明する。図３は、図２に示す映像処理装置１０の電源および映像に関する状態を示す状態図である。また、図４−１〜図４−５は、図２に示す映像処理装置１０の電源および映像に関する制御を示す制御図である。
【００７１】
図３に示すように、図２に示す映像処理装置１０の電源および映像に関する状態は、１〜１０の１０種類に分類される。また、映像処理装置１０の状態１〜１０は、ＰＣ電源の状態、ＴＶチューナ１１電源の状態、ＰＣ  ＬＥＤ表示、ＴＶ  ＬＥＤ表示、ＰＣＩバス電源の状態、ＬＣＤ出力信号、モニタ表示、３ＤＹ／Ｃのそれぞれによって識別される。ＰＣ電源の状態は、Ｓ０〜Ｓ５の状態があり、Ｓ０はＯＮ、Ｓ１は、ＰＣＩバスの電源を除くＰＣ電源が待機状態、Ｓ３は、待機状態、Ｓ４／Ｓ５は、停止または一時停止である。なお、一時停止は、ＰＣ電源を切る直前の状態をメモリに記憶させて、省電力モードに移行してＰＣを停止した状態であり、次に電源を投入したときに、電源を切る直前の状態が表示される。一方、ＴＶチューナ１１の動作状態は、ＯＮとＯＦＦの２種類である。
【００７２】
ＰＣ  ＬＥＤ表示は、ＰＣ１４の状態の表示であり、緑色でＳ０を表示し、朱色でＳ１、Ｓ３を表示し、消灯でＳ４／Ｓ５を表示する。また、ＴＶ  ＬＥＤ表示は、ＴＶチューナ１１の状態の表示であり、緑色でＯＮを表示し、消灯でＯＦＦを表示する。
【００７３】
マイコン制御部１２２は、ＰＣ電源の状態を、前述のようにＰＣ  ＬＥＤの表示（ＰＣ電源）とＰＣＩバスの電源とを監視することにより判定する。ＰＣＩバスの電源は、ＰＣＩバスのインタフェース回路であるブリッジ回路１４１の電源、すなわちＴＶチューナ１１のブリッジ回路１１７の電源である。このように、マイコン制御部１２２は、ＰＣ  ＬＥＤの表示（ＰＣ電源）とＰＣＩバスの電源とを監視することによりＰＣ電源の状態を判定することとしたので、ＰＣ電源の状態を容易に識別することができる。
【００７４】
ＬＣＤ出力信号は、切替スイッチ１１５からモニタ１６に出力する映像信号を示し、モニタ表示は、モニタ１６に表示される映像を示す。結果的に、図３に示すように、映像処理装置１０の状態１〜４では、ＬＣＤ入力信号が無く、モニタ１６は、ＯＦＦである。また、映像処理装置１０の状態５では、ＰＣ１４から映像信号が出力し、モニタ１６には、ＰＣ１４のＰＣ映像が表示される。また、映像処理装置１０の状態６〜１０では、ＴＶチューナ１１から映像信号が出力し、モニタ１６には、ＴＶチューナ１１のＴＶ映像が表示される。
【００７５】
次に、図４−１〜図４−５に示す制御図は、横軸が操作前の状態、操作の種類、操作後の状態からなり、縦軸は、映像処理装置１０の動作状態１〜１０からなっている。操作前の状態および操作後の状態は、図３に示す映像処理装置１０の状態１〜１０によって定義される。操作の種類は、ＰＣ電源ボタン３のＯＮ／ＯＦＦ、ＴＶチューナ電源ボタン１のＯＮ／ＯＦＦ、リモコン８の切替ボタンのＯＮ／ＯＦＦ、キーボード、マウス等の入力装置９の操作、タイマの起動であり、これらの操作を制御信号として映像処理装置１０は、マイコン制御部１２２によって、操作前の状態から操作後の状態に電源および映像を制御する。
【００７６】
（４）映像処理装置の映像表示制御手順
次に、図５を参照して、図２に示す映像処理装置１０の映像表示制御手順について説明する。図５は、図２に示す映像処理装置１０の映像表示制御手順を示すフローチャートである。同図に示すように、状態監視部１２２ａは、ＰＣ電源ボタン３が押下されたか否かを検出する（ステップＳ５０１）。その結果、ＰＣ電源ボタン３が押下された場合は（ステップＳ５０１肯定）、映像処理制御部１２２ｂは、ＰＣ電源ボタン３押下時の映像表示制御を行う（ステップＳ５０２）。
【００７７】
一方、ＰＣ電源ボタン３が押下されなかった場合は（ステップＳ５０１否定）、映像処理制御部１２２ｂは、ステップＳ５０３に進む。そして状態監視部１２２ａは、ＴＶチューナ電源ボタン１が押下された否かを検出する（ステップＳ５０３）。その結果、ＴＶチューナ電源ボタン１が押下された場合は（ステップＳ５０３肯定）、映像処理制御部１２２ｂは、ＴＶチューナ電源ボタン１押下時の映像表示制御を行う（ステップＳ５０４）。
【００７８】
一方、ＴＶチューナ電源ボタン１が押下されなかった場合は（ステップＳ５０３否定）、映像処理制御部１２２ｂは、ステップＳ５０５に進む。そして、状態監視部１２２ａは、ＴＶ／ＰＣ切替ボタンが押下された否かを検出する（ステップＳ５０５）。その結果、ＴＶ／ＰＣ切替ボタンが押下された場合は（ステップＳ５０５肯定）、映像処理制御部１２２ｂは、ＴＶ／ＰＣ切替ボタン押下時の映像表示制御を行う（ステップＳ５０６）。
【００７９】
一方、ＴＶ／ＰＣ切替ボタンが押下されなかった場合は（ステップＳ５０５否定）、映像処理制御部１２２ｂは、ステップＳ５０７に進む。そして、状態監視部１２２ａは、入力装置９やタイマ等による状態変化があったか否かを検出する（ステップＳ５０７）。その結果、入力装置９やタイマ等による状態変化がない場合は（ステップＳ５０７否定）、映像処理制御部１２２ｂは、本手順を終了する。
【００８０】
一方、入力装置９やタイマ等による状態変化があった場合は（ステップＳ５０７肯定）、状態監視部１２２ａは、さらに入力装置９やタイマ等による状態変化がＰＣ１４を起動するものであるか否かを検出する（ステップＳ５０８）。その結果、入力装置９やタイマ等による状態変化がＰＣ１４を起動するものである場合は（ステップＳ５０８肯定）、映像処理制御部１２２ｂは、ＰＣ起動時の映像表示制御を行う（ステップＳ５０９）。一方、入力装置９やタイマ等による状態変化がＰＣ１４を省電力モードに移行させるものである場合は（ステップＳ５０８否定）、映像処理制御部１２２ｂは、ＰＣ省電力モード移行時の映像表示制御を行う（ステップＳ５１０）。
【００８１】
このように、本手順によれば、状態監視部１２２ａは、ＰＣ１４およびモニタ１６に関する電源や表示などの状態を監視し、映像処理制御部１２２ｂは、それらの状態に応じてＰＣ映像とＴＶ映像を切替えることができる。
【００８２】
次に、図６を参照して、図５に示すＰＣ電源ボタン３押下時の映像表示制御手順、ステップＳ５０２についてさらに詳細に説明する。図６は、図５に示すＰＣ電源ボタン３押下時の映像表示制御手順、ステップＳ５０２をさらに詳細に示すフローチャートである。同図に示すように、状態監視部１２２ａは、ＰＣの電源がＯＮであるか否かを検出する（ステップＳ６０１）。その結果、ＰＣの電源がＯＮである場合は（ステップＳ６０１肯定）、状態監視部１２２ａは、さらにモニタ１６がＰＣ映像を表示しているか否かを検出する（ステップＳ６０２）。
【００８３】
その結果、モニタ１６がＴＶ映像を表示している場合は（ステップＳ６０２否定）、映像処理制御部１２２ｂは、いったんＴＶ映像の表示をＰＣ映像の表示に切替えて、ユーザが作成したファイルをセーブするなどのＰＣ電源をＯＦＦする準備をした後（ステップＳ６０３）、ＰＣ電源をＯＦＦして（スッテップＳ６０４）、ＴＶ電源をＯＦＦする（ステップＳ６０５）。なお、ＴＶ電源は、ＯＮの状態でもよいが、ここではユーザが離席することを想定し、ＯＦＦとしている。一方、モニタ１６がＰＣ映像を表示している場合は（ステップＳ６０２肯定）、映像処理制御部１２２ｂは、ＰＣ電源をＯＦＦし（ステップＳ６０６）、ＰＣ映像の表示をＯＦＦする（ステップＳ６０７）。
【００８４】
これに対して、ＰＣの電源がＯＮでない場合は（ステップＳ６０１否定）、状態監視部１２２ａは、さらにＰＣ電源が待機状態であるか否かを検出する（ステップＳ６０８）。その結果、ＰＣ電源がＯＦＦである場合は（ステップＳ６０８否定）、映像処理制御部１２２ｂは、ＰＣの起動画面を表示し（ステップＳ６０９）、ＰＣ映像を表示する（ステップＳ６１０）。一方、ＰＣ電源が待機状態である場合は（ステップＳ６０８肯定）、映像処理制御部１２２ｂは、ＰＣ映像を表示する（ステップＳ６１０）。
【００８５】
このように、本手順によれば、映像処理制御部１２２ｂは、ＰＣ１４とモニタ１６に関する電源や表示などの状態に基づいてＰＣ電源ボタン３押下時の映像表示を制御することができる。
【００８６】
次に、図７を参照して、図５に示すＴＶチューナ電源ボタン１押下時の映像表示制御手順、ステップＳ５０４についてさらに詳細に説明する。図７は、図５に示すＴＶチューナ電源ボタン１押下時の映像表示制御手順、ステップＳ５０４をさらに詳細に示すフローチャートである。
【００８７】
同図に示すように、状態監視部１２２ａは、ＰＣの電源がＯＮであるか否かを検出する（ステップＳ７０１）。その結果、ＰＣの電源がＯＮである場合は（ステップＳ７０１肯定）、状態監視部１２２ａは、さらにモニタ１６がＰＣ映像を表示しているか否かを検出する（ステップＳ７０２）。その結果、モニタ１６がＴＶ映像を表示している場合は（ステップＳ７０２否定）、映像処理制御部１２２ｂは、ＴＶ映像をＰＣ映像に切替える（ステップＳ７０３）。一方、モニタ１６がＰＣ映像を表示している場合は（ステップＳ７０２肯定）、映像処理制御部１２２ｂは、ＰＣ映像をＴＶ映像に切替える（ステップＳ７０４）。
【００８８】
これに対して、ＰＣの電源がＯＮでない場合は（ステップＳ７０１否定）、状態監視部１２２ａは、さらにモニタ１６がＴＶ映像を表示しているか否かを検出する（ステップＳ７０５）。その結果、モニタ１６がＴＶ映像を表示していない場合は（ステップＳ７０５否定）、映像処理制御部１２２ｂは、ＴＶ映像を表示する（ステップＳ７０６）。一方、モニタ１６がＴＶ映像を表示してる場合は（ステップＳ７０５肯定）、映像処理制御部１２２ｂは、ＴＶ映像をＯＦＦにする（ステップＳ７０７）。
【００８９】
このように、本手順によれば、映像処理制御部１２２ｂは、ＰＣ１４とモニタ１６に関する電源や表示の状態に基づいてＴＶチューナ電源ボタン１押下時の映像表示を制御することができる。
【００９０】
次に、図８を参照して、図５に示すＴＶ／ＰＣ切替ボタン押下時の映像表示制御手順、ステップＳ５０６について説明する。図８は、図５に示すＴＶ／ＰＣ切替ボタン押下時の映像表示制御手順、ステップＳ５０６をさらに詳細に示すフローチャートである。
【００９１】
同図に示すように、状態監視部１２２ａは、ＰＣの電源がＯＮであるか否かを検出する（ステップＳ８０１）。その結果、ＰＣの電源がＯＮである場合は（ステップＳ８０１肯定）、状態監視部１２２ａは、さらにモニタ１６がＰＣ映像を表示しているか否かを検出する（ステップＳ８０２）。
【００９２】
その結果、モニタ１６がＴＶ映像を表示している場合は（ステップＳ８０２否定）、映像処理制御部１２２ｂは、ＴＶ映像をＰＣ映像に切替える（ステップＳ８０３）。一方、モニタ１６がＰＣ映像を表示している場合は（ステップＳ８０２肯定）、映像処理制御部１２２ｂは、ＰＣ映像をＴＶ映像に切替える（ステップＳ８０４）。
【００９３】
これに対して、ＰＣの電源がＯＮでない場合は（ステップＳ８０１否定）、状態監視部１２２ａは、さらにＰＣ電源が待機状態であるか否かを検出する（ステップＳ８０５）。その結果、ＰＣ電源が待機状態である場合は（ステップＳ８０５肯定）、状態監視部１２２ａは、さらにモニタ１６がＴＶ映像を表示しているか否かを検出する（ステップＳ８０６）。
【００９４】
その結果、モニタ１６がＴＶ映像を表示していない場合は（ステップＳ８０６否定）、映像処理制御部１２２ｂは、ＴＶ映像を表示する（ステップＳ８０７）。一方、モニタ１６がＴＶ映像を表示している場合は（ステップＳ８０６肯定）、映像処理制御部１２２ｂは、ＴＶ映像に“パソコンが節電中です”というＯＳＤ（Ｏｎ  Ｓｃｒｅｅｎ  Ｄｉｓｐｌａｙ）を表示する（ステップＳ８０７）。
【００９５】
これに対して、ＰＣ電源が待機状態でない場合は（ステップＳ８０５否定）、状態監視部１２２ａは、さらにモニタ１６がＴＶ映像を表示しているか否かを検出する（ステップＳ８０８）。その結果、モニタ１６がＴＶ映像を表示していない場合は（ステップＳ８０８否定）、映像処理制御部１２２ｂは、ＴＶ映像を表示する（ステップＳ８０９）。一方、モニタ１６がＴＶ映像を表示している場合は（ステップＳ８０８肯定）、映像処理制御部１２２ｂは、ＴＶ映像に“パソコンの電源を入れてください”というＯＳＤを表示する（ステップＳ８１０）。
【００９６】
このように、本手順によれば、映像処理制御部１２２ｂは、ＰＣ１４とモニタ１６に関する電源や表示などの状態に基づいてＴＶ／ＰＣ切替ボタン押下時の映像表示を制御することができる。
【００９７】
次に、図９を参照して、図５に示す入力装置９、タイマによるＰＣ起動時の映像表示制御手順、ステップＳ５０９についてさらに詳細に説明する。図９は、図５に示す入力装置９、タイマによるＰＣ起動時の映像表示制御手順、ステップＳ５０９をさらに詳細に示すフローチャートである。
【００９８】
同図に示すように、状態監視部１２２ａは、ＰＣの電源がＯＮであるか否かを検出する（ステップＳ９０１）。その結果、ＰＣの電源がＯＮである場合は（ステップＳ９０１肯定）、映像処理制御部１２２ｂは、本手順を終了する。
【００９９】
一方、ＰＣの電源がＯＦＦである場合は（ステップＳ９０１否定）、状態監視部１２２ａは、さらにＰＣ電源は待機状態であるか否かを検出する（ステップＳ９０２）。その結果、ＰＣ電源は待機状態である場合は（ステップＳ９０２肯定）、状態監視部１２２ａは、さらにモニタ１６がＴＶ映像を表示しているか否かを検出する（ステップＳ９０３）。
【０１００】
その結果、モニタ１６がＴＶ映像を表示していない場合は（ステップＳ９０３否定）、映像処理制御部１２２ｂは、ＰＣ映像を表示する（ステップＳ９０４）。一方、モニタ１６がＴＶ映像を表示している場合は（ステップＳ９０３肯定）、映像処理制御部１２２ｂは、ＴＶ映像を継続する（ステップＳ９０５）。なお、この時、ユーザの要求によってＨＤＤ記憶部１４２にＴＶ映像を録画することができる。
【０１０１】
これに対して、ＰＣ電源は待機状態でない場合は（ステップＳ９０２否定）、状態監視部１２２ａは、さらにモニタ１６がＴＶ映像を表示しているか否かを検出する（ステップＳ９０６）。その結果、モニタ１６がＴＶ映像を表示していない場合は（ステップＳ９０６否定）、映像処理制御部１２２ｂは、ＰＣの起動画面を表示し（ステップＳ９０７）、ＰＣ映像を表示する（ステップＳ９０８）。一方、モニタ１６がＴＶ映像を表示している場合は（ステップＳ９０６肯定）、映像処理制御部１２２ｂは、ＴＶ映像を継続する（ステップＳ９０９）。なお、この時、ユーザの要求によってＨＤＤ記憶部１４２にＴＶ映像を録画することができる。
【０１０２】
このように、本手順によれば、映像処理制御部１２２ｂは、ＰＣ１４とモニタ１６に関する電源や表示などの状態に基づいて入力装置９、タイマによるＰＣ起動時の映像表示を制御することができる。
【０１０３】
次に、図１０を参照して、図５に示す入力装置９、タイマによるＰＣ省電力モード移行時の映像表示制御手順、ステップＳ５１０についてさらに詳細に説明する。図１０は、図５に示す入力装置９、タイマによるＰＣ省電力モード移行時の映像表示制御手順、ステップＳ５１０をさらに詳細に示すフローチャートである。ＰＣ省電力モード移行時の場合、ＰＣ電源は、必ずＯＮの状態にある。
【０１０４】
同図に示すように、状態監視部１２２ａは、モニタ１６がＴＶ映像を表示しているか否かを検出する（ステップＳ１００１）。その結果、モニタ１６がＴＶ映像を表示していない場合は（ステップＳ１００１否定）、映像処理制御部１２２ｂは、ＰＣ電源をＯＦＦし（ステップＳ１００２）、ＰＣ映像の表示をＯＦＦする（ステップＳ１００３）。一方、モニタ１６がＴＶ映像を表示している場合は（ステップＳ１００２肯定）、映像処理制御部１２２ｂは、ＴＶ映像を継続する（ステップＳ１００４）。
【０１０５】
このように、本手順によれば、映像処理制御部１２２ｂは、ＰＣ１４とモニタ１６に関する電源や表示などの状態に基づいて入力装置９、タイマによるＰＣ省電力モード移行時の映像表示を制御することができる。
【０１０６】
上述してきたように、本実施例１では、状態監視部１２２ａは、ＰＣ１４またはモニタ１６に関する電源や表示などの状態を監視し、ＴＶチューナ１１は、ＰＣ１４またはモニタ１６に関する電源や表示など状態に影響を受けないで、画像を出力することとしたので、ＰＣ１４またはモニタ１６に関する電源や表示などの状態を監視してＴＶ映像を迅速に表示することができる。
【０１０７】
また、状態監視部１２２ａは、ＰＣ１４またはモニタ１６の電源の状態、ＰＣ１４とモニタ１６との間の切替信号、ＰＣ１４の入力手段の操作信号、ＰＣ１４のタイマ起動の少なくともいずれか一つを監視することとしたので、ＴＶチューナ電源ボタン、ＰＣ電源ボタン、ＴＶチューナ電源とＰＣ電源の切替ボタン、キーボード、マウス、タイマからの信号でＴＶ映像を迅速に表示することができる。
【０１０８】
また、映像処理制御部１２２ｂは、ＰＣ１４またはモニタ１６に関する電源や表示などの状態に応じて、出力される画像の出力を決定することとしたので、ＰＣ１４またはモニタ１６に関する電源や表示などの状態に応じてＴＶ映像を迅速に表示することができる。
【０１０９】
また、ＰＣ１４またはモニタ１６に関する状態に応じてＰＣ１４からのＰＣ画像とＴＶ画像を切替えることとしたので、ＰＣ１４またはモニタ１６に関する電源や表示などの状態に応じてＴＶ映像およびＰＣ映像を切替えることができる。
【０１１０】
また、映像処理制御部１２２ｂは、ＰＣ１４がＯＦＦまたは一時停止状態からＯＮに切り替わったことが検出された場合に、ＰＣ１４のＰＣ画像である起動画面を表示するよう制御することとしたので、利用者のＴＶ視聴を妨げないようにすることができる。
【０１１１】
また、ＰＣ１４は、映像処理装置１０の主要な制御を行い、ＰＣ画像を出力し、ＴＶチューナ１１は、ＰＣ１４とモニタ１６の状態に影響を受けないで、画像を受信し、状態監視部１２２ａは、ＰＣ１４やモニタ１６の状態を監視し、映像処理制御部１２２ｂは、画像を出力し、状態に応じてＰＣ画像とＴＶ画像を切替えることとしたので、ＰＣ１４またはモニタ１６に関する電源や表示などの状態を監視してＰＣ映像とＴＶ映像を切替えることができる。
【０１１２】
また、ＰＣ１４とモニタ１６の状態を監視し、状態に応じてＰＣ１４からのＰＣ画像とチュ−ナユニット１１２からのＴＶ画像を切替えることとしたので、ＰＣ１４またはモニタ１６に関する電源や表示などの状態を監視してＰＣ映像とＴＶ映像を切替えることができる。
【実施例２】
【０１１３】
実施例２は、二つのチューナユニットで受信されたＴＶ映像信号を同時に表示、録画する場合について説明する。まず、図１１を参照して、実施例２に係る映像処理装置１０ａの構成について説明する。図１１は、実施例２に係る映像処理装置１０ａの構成を示す機能ブロック図である。実施例１の機能ブロック図との相違は、チューナユニット１１２ａ、１１２ｂ、３ＤＹ／Ｃ１２４、Ａ／Ｄ変換器１１３ａ、１１３ｂである。ここでは、実施例１の機能ブロック図と同じ内容については説明を省略し、相違する点について説明する。
【０１１４】
チューナユニット１１２ａ、１１２ｂは、受信した放送信号を周波数によって選択し、選択した放送信号を増幅する回路である。また、Ａ／Ｄ変換器１１３ａ、１１３ｂは、アナログの放送信号をＮＴＳＣ形式のビデオデータに変換する回路である。また、３ＤＹ／Ｃ１２４は、輝度信号と色信号を分離する３次元輝度／色信号分離器であり、水平、垂直方向の２次元空間に加え、時間軸のデータの違いを利用して輝度信号と色信号を分離し、色と色のにじみなどを防止する画像補正回路である。また、３ＤＹ／Ｃ１２４は、チューナユニット１１２ａ、１１２ｂから入力するビデオデータを切替えてＡ／Ｄ変換器１１３ａ、１１３ｂに出力する。
【０１１５】
ここで、図１２を参照して、図１１に示す３ＤＹ／Ｃ１２４の構成をさらに詳細に説明する。図１２は、図１１に示す３ＤＹ／Ｃ１２４の構成をさらに詳細に示す機能ブロック図である。同図に示すように、３ＤＹ／Ｃ１２４は、アナログスイッチ１２４１、３ＤＹ／Ｃ分離器１２４２からなる。アナログスイッチ１２４１は、チューナユニット１１２ａとチューナユニット１１２ｂからの入力信号を切替えるスイッチである。また、３ＤＹ／Ｃ分離器１２４２は、スイッチによって切りかえられた入力信号を輝度信号と色信号に分離する分離器であり、分離した輝度信号と色信号をＡ／Ｄ変換器１１３ａ、１１３ｂに出力する。
【０１１６】
映像処理制御部１２２ｂは、アナログスイッチ１２４１によってチューナユニット１１２ａとチューナユニット１１２ｂからの入力信号を切替えるよう制御する。このように、映像処理制御部１２２ｂは、複数のチューナユニット１１２ａ、１１２ｂによって選択された放送信号から変換されたＴＶ映像信号を切替えてモニタ１６、またはＰＣ１４に出力するよう制御することとしたので、ＴＶ映像信号を同時に映像表示、録画することができる。
【０１１７】
上述してきたように、本実施例２では、ＴＶチューナ１１は、チューナユニット１１２ａ、１１２ｂで受信した複数の画像をＰＣ１４とモニタ１６に出力することとしたので、映像処理制御部１２２ｂは、複数のチューナユニット１１２ａ、１１２ｂによって選択された放送信号から変換されたＴＶ映像信号を切替えてＰＣ１４またはモニタ１６に出力するよう制御することができる。
【０１１８】
また、３ＤＹ／Ｃ１２４は、画像を補正し、複数のチューナユニット１１２ａ、１１２ｂで共有されることとしたので、一台の３ＤＹ／Ｃ１２４を用いてチューナユニット１１２ａ、１１２ｂで受信した放送信号を切替えて、輝度信号と色信号に分離することができる。
【実施例３】
【０１１９】
実施例３は、チューナユニットで受信されたＴＶ映像信号と録画されたＰＣ映像信号を合成する場合について説明する。まず、図１３を参照して、実施例３に係る映像処理装置１０ｂの構成について説明する。図１３は、実施例３に係る映像処理装置１０ｂの構成を示す機能ブロック図である。実施例１の機能ブロック図との相違は、映像合成器１２５である。ここでは、実施例１の機能ブロック図と同じ内容については説明を省略し、相違する点について説明する。
【０１２０】
映像合成器１２５は、チューナユニット１１２から出力されたＴＶ映像とＰＣ１４から出力されたＰＣ映像を合成する合成器であり、例えば、ＴＶ映像を主画面に表示し、ＰＣ映像を副画面に表示する、またはＰＣ映像を主画面に表示し、ＴＶ映像を副画面に表示するよう映像を合成する。このようにして、映像処理制御部１２２ｂは、ＰＣ１４またはＴＶチューナ１１に関する電源の状態に基づいてＴＶ映像とＰＣ映像を合成することができる。
【０１２１】
上述してきたように、本実施例３では、映像処理制御部１２２ｂは、ＰＣ１４またはモニタ１６に関する電源や表示などの状態に応じてＰＣ１４からのＰＣ映像とＴＶ映像を合成することとしたので、ＰＣ１４またはモニタ１６に関する電源や表示などの状態に応じてＴＶ映像およびＰＣ映像を合成することができる。
【０１２２】
また、ＰＣ１４は、映像処理装置１０ｂの主要な制御を行い、ＰＣ画像を出力し、ＴＶチューナ１１は、ＰＣ１４とモニタ１６の状態に影響を受けないで、画像を受信し、状態監視部１２２ａは、ＰＣ１４やモニタ１６の状態を監視し、映像処理制御部１２２ｂは、画像を出力し、状態に応じてＰＣ画像とＴＶ画像を切替えることとしたので、ＰＣ１４またはモニタ１６に関する電源や表示などの状態を監視してＰＣ映像とＴＶ映像を合成することができる。
【０１２３】
また、映像処理制御部１２２ｂは、ＰＣ映像信号とＴＶ映像信号を合成して同時に表示することも考えられる。合成の一例としては、制御信号を受信してＴＶ映像信号を主画面に表示し、ＰＣ映像信号を副画面に表示する、またはＰＣ映像信号を主画面に表示し、ＴＶ映像信号を副画面に表示することとしたので、ＴＶ映像信号とＰＣ映像信号を同時に表示することが考えられる。
【０１２４】
さて、これまで本発明の実施例について説明したが、本発明は上述した実施例以外にも、上記特許請求の範囲に記載した技術的思想の範囲内において種々の異なる実施例にて実施されてもよいものである。
【０１２５】
本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１２６】
また、図示した各装置の各構成要素は機能概念的なものであり、必ずしも物理的に図示の如く構成されていることを要しない。すなわち、各装置（画像出力装置および情報処理装置）の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２７】
なお、本実施の形態で説明した画像出力方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１２８】
（付記１）出力先装置の状態を監視する状態監視部と、
前記出力先装置の状態に影響を受けない電源部と、
画像を出力する画像出力部とを備えることを特徴とする画像出力装置。
【０１２９】
（付記２）前記状態監視部は、前記出力先装置の電源の状態、前記出力先装置間の切替信号、前記出力先装置の入力手段の操作信号、前記出力先装置のタイマ起動の少なくともいずれか一つを監視することを特徴とする付記１に記載の画像出力装置。
【０１３０】
（付記３）前記状態監視部は、前記出力先装置の電源端子および／または前記出力先装置との接続端子を監視することを特徴とする付記１に記載の画像出力装置。
【０１３１】
（付記４）前記出力先装置によって前記出力先装置の状態が書き込まれる状態記憶部をさらに備え、前記状態監視部は、前記状態記憶部に記憶された状態を監視することを特徴とする付記１に記載の画像出力装置。
【０１３２】
（付記５）前記出力先装置の状態に応じて、前記画像出力部から出力される画像の出力を決定する映像処理部をさらに備えることを特徴とする付記１に記載の画像出力装置。
【０１３３】
（付記６）前記映像処理部は、前記状態に応じて前記出力先装置からの情報画像と前記画像を切替え、および／または合成することを特徴とする付記５に記載の画像出力装置。
【０１３４】
（付記７）前記映像処理部は、前記状態監視部によって前記出力先装置がＯＦＦまたは一時停止状態からＯＮに切り替わったことが検出された場合に、前記出力先装置の前記情報画像である起動画面を表示するよう制御することを特徴とする付記６に記載の画像出力装置。
【０１３５】
（付記８）前記画像は、受信された放送や記録媒体から得ることができる動画像であること特徴とする付記１に記載の画像出力装置。
【０１３６】
（付記９）前記画像出力部は、前記動画像を圧縮した動画像データとして、前記出力先装置に出力することを特徴とする付記８に記載の画像出力装置。
【０１３７】
（付記１０）前記画像を受信する画像受信部を少なくとも一つ備えることを特徴とする付記８に記載の画像出力装置。
【０１３８】
（付記１１）前記画像出力部は、受信した複数の前記画像を異なる前記出力装置に出力することを特徴とする付記１０に記載の画像出力装置。
【０１３９】
（付記１２）前記画像を補正し、複数の前記画像受信部で共有される画像補正部をさらに備えることを特徴とする付記１０に記載の画像出力装置。
【０１４０】
（付記１３）冷却装置と、
前記冷却装置を前記画像受信部の使用中に冷却制御する冷却制御部とをさらに備えることを特徴とする付記１０に記載の画像出力装置。
【０１４１】
（付記１４）前記出力先装置に内蔵可能な拡張カードであることを特徴とする付記１に記載の画像出力装置。
【０１４２】
（付記１５）表示装置へ画像出力する情報処理装置において、
前記情報処理装置の主要な制御を行い、情報画像を出力する制御部と、
前記制御部と前記表示装置の状態に影響を受けない電源部と、
画像を受信する、少なくとも一つの画像受信部と、
前記制御部や前記表示部の状態を監視する状態監視部と、
前記画像を出力する画像出力部と、
前記状態に応じて前記情報画像と前記画像を切替え、および／または合成する映像処理部とを備えることを特徴とする情報処理装置。
【０１４３】
（付記１６）前記状態監視部は、前記制御部の電源の状態、前記表示装置の電源の状態、前記制御部と前記表示装置との切替信号、前記制御部の入力手段の操作信号、前記制御部のタイマ起動の少なくともいずれか一つを監視することを特徴とする付記１５に記載の情報処理装置。
【０１４４】
（付記１７）前記映像処理部は、前記状態監視部によって前記制御部がＯＦＦまたは一時停止状態からＯＮに切り替わったことが検出された場合に、前記制御部の前記情報画像である起動画面を前記表示装置へ表示するよう制御することを特徴とする付記１６に記載の情報処理装置。
【０１４５】
（付記１８）前記画像は、受信された放送や記録媒体から得ることができる動画像であること特徴とする付記１５に記載の情報処理装置。
【０１４６】
（付記１９）前記画像出力部は、前記動画像を圧縮した動画像データとして出力することを特徴とする付記１８に記載の情報処理装置。
【０１４７】
（付記２０）前記画像を補正し、複数の前記画像受信部で共有される画像補正部をさらに備えることを特徴とする付記１５に記載の情報処理装置。
【０１４８】
（付記２１）冷却装置と、
前記冷却装置を前記画像受信部の使用中に冷却制御する冷却制御部とをさらに備えることを特徴とする付記１５に記載の情報処理装置。
【０１４９】
（付記２２）前記制御部に電力を供給する制御電源部をさらに備えることを特徴とする付記１５に記載の情報処理装置。
【０１５０】
（付記２３）情報処理装置と表示装置の状態を監視する状態監視ステップと、
前記状態に応じて前記情報処理装置からの情報画像と受信装置からの画像を切替え、および／または合成する映像処理ステップを備えることを特徴とする画像出力方法。
【０１５１】
（付記２４）前記状態監視ステップは、前記情報処理装置の電源の状態、前記表示装置の電源の状態、前記情報処理装置と前記表示装置との切替信号、前記情報処理装置の入力手段の操作信号、前記情報処理装置のタイマ起動の少なくとも一つを監視することを特徴とする付記２３に記載の画像出力方法。
【０１５２】
（付記２５）前記映像処理ステップは、前記状態監視ステップによって前記情報処理装置のＯＦＦまたは一時停止状態からＯＮに切り替わったことが検出された場合に、前記情報処理装置の前記情報画像である起動画面を前記表示装置へ表示することを特徴とする付記２４に記載の画像出力方法。
【０１５３】
（付記２６）前記画像は、受信された放送や記録媒体から得ることができる動画像であることを特徴とする付記２３に記載の画像出力方法。
【０１５４】
（付記２７）情報処理装置と表示装置の状態を監視する状態監視手順と、
前記状態に応じて前記情報処理装置からの情報画像と受信装置からの画像を切替え、および／または合成する映像処理手順とをコンピュータに実行させることを特徴とする画像出力プログラム。
【０１５５】
（付記２８）前記状態監視手順は、前記情報処理装置の電源の状態、前記表示装置の電源の状態、前記情報処理装置と前記表示装置との切替信号、前記情報処理装置の入力手段の操作信号、前記情報処理装置のタイマ起動の少なくとも一つを監視することを特徴とする付記２７に記載の画像出力プログラム。
【０１５６】
（付記２９）前記映像処理手順は、前記状態監視手順によって前記情報処理装置のＯＦＦまたは一時停止状態からＯＮに切り替わったことが検出された場合に、前記情報処理装置の前記情報画像である起動画面を前記表示装置へ表示することを特徴とする付記２８に記載の画像出力プログラム。
【０１５７】
（付記３０）前記画像は、受信された放送や記録媒体から得ることができる動画像であることを特徴とする付記２７に記載の画像出力プログラム。
【産業上の利用可能性】
【０１５８】
以上のように、本発明にかかる映像処理装置は、テレビ、ＰＣなどの映像処理装置に有用であり、特に、テレビとＰＣを一体化した映像処理装置に適している。
【図面の簡単な説明】
【０１５９】
【図１】実施例１に係る映像処理装置の本体の外観を示す外観図である。
【図２】実施例１に係る映像処理装置の構成を示す機能ブロック図である。
【図３】図２に示す映像処理装置の電源および映像に関する状態を示す状態図である。
【図４−１】図２に示す映像処理装置の電源および映像に関する制御を示す制御図である。
【図４−２】図２に示す映像処理装置の電源および映像に関する制御を示す制御図である。
【図４−３】図２に示す映像処理装置の電源および映像に関する制御を示す制御図である。
【図４−４】図２に示す映像処理装置の電源および映像に関する制御を示す制御図である。
【図４−５】図２に示す映像処理装置の電源および映像に関する制御を示す制御図である。
【図５】図２に示す映像処理装置の映像表示制御手順を示すフローチャートである。
【図６】図５に示すＰＣ電源ボタン押下時の映像表示制御手順をさらに詳細に示すフローチャートである。
【図７】図５に示すＴＶチューナ電源ボタン押下時の映像表示制御手順をさらに詳細に示すフローチャートである。
【図８】図５に示すＴＶ／ＰＣ切替ボタン押下時の映像表示制御手順をさらに詳細に示すフローチャートである。
【図９】図５に示す入力装置、タイマによるＰＣ起動時の映像表示制御手順をさらに詳細に示すフローチャートである。
【図１０】図５に示す入力装置、タイマによるＰＣ省電力モード移行時の映像表示制御手順をさらに詳細に示すフローチャートである。
【図１１】実施例２に係る映像処理装置の構成を示す機能ブロック図である。
【図１２】図１１に示す３ＤＹ／Ｃの構成をさらに詳細に示す機能ブロック図である。
【図１３】実施例３に係る映像処理装置の構成を示す機能ブロック図である。
【符号の説明】
【０１６０】
１    ＴＶチューナ電源ボタン
２    ＴＶ  ＬＥＤ
３    ＰＣ電源ボタン
４    ＰＣ  ＬＥＤ
７    操作パネル
８    リモコン
８ａ    リモコン受光部
９    入力装置
９ａ    入力装置受信部
１０、１０ａ、１０ｂ    映像処理装置
１１、１１ａ、１１ｂ    ＴＶチューナ
１４    ＰＣ
１６    モニタ
１８    冷却ファン
１１１    ＴＶアンテナ
１１２、１１２ａ、１１２ｂ    チューナユニット
１１３、１１３ａ、１１３ｂ    Ａ／Ｄ変換器
１１４    ＲＧＢ変換器
１１５    切替スイッチ
１１６    ＭＰＥＧエンコーダ
１１７、１４１    ブリッジ回路
１１７ａ    電源状態識別情報記憶部
１２１    ＴＶチューナ電源回路
１２２    マイコン制御部
１２２ａ    状態監視部
１２２ｂ    映像処理制御部
１２３    ＲＯＭ記憶部
１２３ａ    設定チャンネル記憶部
１２４    ３ＤＹ／Ｃ
１２４１    アナログスイッチ
１２４２    ３ＤＹ／Ｃ分離器
１２５    映像合成器
１２６    モニタ電源回路
１４２    ＨＤＤ記憶部
１４２ａ    ＨＤＤ駆動部
１４２ｂ    圧縮ビデオデータ記憶部
１４３    ビデオ出力部
１４４    入出力Ｉ／Ｆ部
１４５    ＲＯＭ記憶部
１４５ａ    デバイスドライバ記憶部
１４５ｂ    圧縮復号化プログラム記憶部
１４６    ＲＡＭ記憶部
１４７    バス
１４８    ＣＰＵ制御部
１５１    ＰＣ電源回路
１６１    ＬＣＤパネル
１６２    バックライト
【図１】
2005303935.tif 000003
【図２】
2005303935.tif 000004
【図３】
2005303935.tif 000005
【図４−１】
2005303935.tif 000006
【図４−２】
2005303935.tif 000007
【図４−３】
2005303935.tif 000008
【図４−４】
2005303935.tif 000009
【図４−５】
2005303935.tif 000010
【図５】
2005303935.tif 000011
【図６】
2005303935.tif 000012
【図７】
2005303935.tif 000013
【図８】
2005303935.tif 000014
【図９】
2005303935.tif 000015
【図１０】
2005303935.tif 000016
【図１１】
2005303935.tif 000017
【図１２】
2005303935.tif 000018
【図１３】
2005303935.tif 000019